(57)【要約】【課題】ポイントサービスの利用に係る利便性を向上させることが可能な登録装置及びプログラムを提供する。【解決手段】店舗内を移動可能な登録装置であって、自装置を操作する操作者を特定可能な第１識別情報を入力する入力手段と、商品から当該商品を特定可能な第２識別情報を読み取る読取手段と、前記第２識別情報に基づき特定された商品を登録する登録手段と、前記登録手段が登録した前記商品の合計金額に対応するポイント数を仮ポイント数として算出する算出手段と、前記第１識別情報に対応付けて記憶されたポイント数の累積値と、前記算出手段が算出した前記仮ポイント数とを表示部に表示する表示手段と、を備える。【選択図】図３
2020067974.tif 000002
【特許請求の範囲】
【請求項１】
店舗内を移動可能な登録装置であって、
自装置を操作する操作者を特定可能な第１識別情報を入力する入力手段と、
商品から当該商品を特定可能な第２識別情報を読み取る読取手段と、
前記第２識別情報に基づき特定された商品を登録する登録手段と、
前記登録手段が登録した前記商品の合計金額に対応するポイント数を仮ポイント数として算出する算出手段と、
前記第１識別情報に対応付けて記憶されたポイント数の累積値と、前記算出手段が算出した仮ポイント数とを表示部に表示する表示手段と、
を備える登録装置。
【請求項２】
前記表示手段は、仮ポイント数の付与に係る付与条件を前記表示部に表示する請求項１に記載の登録装置。
【請求項３】
前記表示手段は、仮ポイント数の付与条件として所定の基準金額を充足することが設定されている場合、前記商品の合計金額が前記基準金額を充足しないことを条件に、不足分の金額と、前記基準金額を充足した場合に付与される仮ポイント数とを前記表示部に表示する請求項２に記載の登録装置。
【請求項４】
店舗内で販売されている商品の中から、前記不足分の金額を充足可能な価格を有した商品を抽出する抽出手段を更に備え、
前記表示手段は、前記抽出手段が抽出した商品に関する情報を、前記表示部に表示する請求項３に記載の登録装置。
【請求項５】
自装置の店舗内での存在位置を特定する位置特定手段を更に備え、
前記抽出手段は、前記位置特定手段で特定された前記存在位置に基づき、当該存在位置の周辺で販売されている商品の中から、前記不足分の金額を充足可能な価格を有した商品を抽出する請求項４に記載の登録装置。
【請求項６】
店舗内を移動可能な登録装置のコンピュータを、
自装置を操作する操作者を特定可能な第１識別情報を入力する入力手段と、
商品から当該商品を特定可能な第２識別情報を読み取る読取手段と、
前記第２識別情報に基づき特定された商品を登録する登録手段と、
前記登録手段が登録した前記商品の合計金額に対応するポイント数を仮ポイント数として算出する算出手段と、
前記第１識別情報に対応付けて記憶されたポイント数の累積値と、前記算出手段が算出した仮ポイント数とを表示部に表示する表示手段と、
して機能させるためのプログラム。
【発明の詳細な説明】
【技術分野】
【０００１】
本発明の実施形態は、登録装置及びプログラムに関する。
【背景技術】
【０００２】
従来、スーパーマーケット等の小売店では、販促活動の一環として、商品の購入金額に応じたポイント数を顧客に付与するポイントサービスが提供されている。係るポイントサービスでは、各顧客に付与されたポイントの累積値に基づき、値引きや商品との交換等に利用できるようにしている。これにより、顧客はポイントサービスの恩恵を受けることができる一方、店舗側は顧客の来店機会を増やして販売促進を図ることができる。
【０００３】
ところで、小売店では、商品の会計時に合計金額（購入金額）を算出する構成となっているため、顧客に付与されるポイント数は会計時に算出されることになる。そのため、顧客は、購入により発生するポイント数を会計前に確認することは容易ではなかった。そこで、従来、買物籠に入れられた商品から価格を読み取り、商品の合計金額に対応するポイント数を表示する機能を備えた買物籠が提案されている。
【０００４】
しかしながら、従来の技術では、会計前に購入により発生するポイント数を確認することができるものの、現在のポイント数（累積値）等を確認することはできず、利便性の上で更なる改善の余地がある。
【発明の概要】
【発明が解決しようとする課題】
【０００５】
本発明が解決しようとする課題は、ポイントサービスの利用に係る利便性を向上させることが可能な登録装置及びプログラムを提供することである。
【課題を解決するための手段】
【０００６】
実施形態の登録装置は、店舗内を移動可能な登録装置であって、自装置を操作する操作者を特定可能な第１識別情報を入力する入力手段と、商品から当該商品を特定可能な商品識別情報を読み取る読取手段と、前記商品識別情報に基づき特定された商品を登録する登録手段と、前記登録手段が登録した前記商品の合計金額に対応するポイント数を仮ポイント数として算出する算出手段と、前記顧客識別情報に対応付けて記憶されたポイント数の累積値と、前記算出手段が算出した前記仮ポイント数とを表示部に表示する表示手段と、を備える。
【図面の簡単な説明】
【０００７】
【図１】図１は、実施形態に係るカート端末の外観構成の一例を示す図である。
【図２】図２は、実施形態に係るカート端末のハードウェア構成の一例を示す図である。
【図３】図３は、実施形態に係るカート端末の機能構成の一例を示す図である。
【図４】図４は、実施形態の表示制御部が表示する画面の一例を示す図である。
【図５】図５は、実施形態の表示制御部が表示する画面の一例を示す図である。
【図６】図６は、実施形態の表示制御部が表示する画面の一例を示す図である。
【図７】図７は、実施形態の表示制御部が表示する画面の一例を示す図である。
【図８】図８は、実施形態のカート端末が実行する商品登録処理の一例を示すフローチャートである。
【発明を実施するための形態】
【０００８】
以下に添付図面を参照して、本発明に係る登録装置の実施形態を詳細に説明する。以下の実施形態では、登録装置をショッピングカートに取り付けたカート端末を例に説明するが、本発明はこの実施形態に限定されるものではない。
【０００９】
図１は、本実施形態に係るカート端末１の外観構成の一例を示す図である。カート端末１は、小売りの店舗に設置されて商品の運搬に用いられるカート（ショッピングカート）３に取り付けて用いられる。
【００１０】
カート端末１は、例えばタブレット端末等の情報処理装置であり、タッチパネル構成の表示デバイスを備える（図２参照）。また、カート端末１の本体部１１には、着脱可能な読取装置２が接続されている。
【００１１】
読取装置２は、入力手段及び読取手段の一例である。読取装置２は、バーコードや二次元コード等のコードシンボルを読み取るコードリーダである。読取装置２は、商品に付されたコードシンボルから当該商品を特定可能な商品識別情報を読み取る。例えば、読取装置２は、商品に付されたコードシンボルを読み取ることで、当該コードシンボルに含まれた商品コードを取得してカート端末１に出力する。ここで、商品コードは第２識別情報の一例であり、商品の種別毎に固有の識別子が割り当てられているものとする。
【００１２】
また、読取装置２は、顧客が所持する媒体に表されたコードシンボルから、当該顧客を特定可能な顧客識別情報を読み取る。具体的には、読取装置２は、顧客が所持する会員カード等のカード媒体に表示されたコードシンボルを読み取り、当該コードシンボルに含まれた会員コードをカート端末１に出力する。また、読取装置２は、顧客が所持するスマートフォン等の画面に表示されたコードシンボルを読み取り、当該コードシンボルに含まれた会員コードをカート端末１に出力する。ここで、会員コードは第１識別情報の一例であり、会員登録等の所定の手続を行った顧客毎に固有の識別子が割り当てられているものとする。以下、会員コードの入力に係る会員コードやスマートフォン等の媒体を、顧客媒体という。
【００１３】
カート端末１を利用する顧客は、自己が所持する顧客媒体を読取装置２に読み取らせる。これにより、カート端末１は、読取装置２から入力される会員コードに基づき、自端末を利用する顧客を特定する。また、顧客は、読取装置２に商品を読み取らせた後に、ショッピングカート３に商品を入れる。これにより、カート端末１は、読取装置２から入力される商品コードに基づき、顧客がピックアップした商品を特定する。なお、ショッピングカート３は、当該ショッピングカート３が運搬する商品の合計重量を計測する秤を備えていてもよい。そして、カート端末１が、秤の出力を受けて、読取装置２が読み取った商品に対応する分だけ増えたか確認するようにしてもよい。
【００１４】
図２は、カート端末１のハードウェア構成の一例を示す図である。カート端末１は、上述した読取装置２とともに、表示デバイス１２、タッチパネル１３、ＣＰＵ（Central  Processing  Unit）１４、ＲＯＭ（Read  Only  Memory）１５、ＲＡＭ（Random  Access  Memory）１６、不揮発性メモリ１７、通信部１８及び近距離通信部１９を備えている。
【００１５】
表示デバイス１２は、表示部の一例である。表示デバイス１２は、ＬＣＤ（Liquid  Crystal  display）等の表示装置によって構成される。タッチパネル１３は、操作部の一例であり、表示デバイス１２に表示された情報に対する操作（タッチ操作）を受け付ける。
【００１６】
ＣＰＵ１４は、ＲＯＭ１５や不揮発性メモリ１７に記憶されたプログラムを実行することにより、カート端末１の各部を統括的に制御する。ＲＯＭ１５は、ＣＰＵ１４によって実行されるプログラムなどを記憶する。ＲＡＭ１６は、プログラムの実行に必要な値などを一時的に記憶するワークエリアとして、ＣＰＵ１４に使用される。
【００１７】
不揮発性メモリ１７は、例えばＨＤＤ（Hard  Disc  Drive）やフラッシュメモリ等、電源が切られても記憶情報を保持するものであって、各種プログラムや各種設定情報などを記憶する。また、不揮発性メモリ１７は、ＰＬＵファイルＦ１、ポイント管理ファイルＦ２、商品登録ファイルＦ３、条件設定ファイルＦ４等を記憶している。
【００１８】
ＰＬＵファイルＦ１は、各商品に割り当てられた商品コードと、当該商品に関す情報とを対応付けた商品情報を格納する。ここで、商品情報には、商品の名称、価格（単価）、商品分類等が含まれる。また、商品情報には、商品が販売されている店舗内のエリアを示すエリア情報が含まれる。ここで、エリア情報は、例えば、商品が陳列された陳列棚の棚番号や、店舗内での陳列位置を示す位置座標等で表される。
【００１９】
ポイント管理ファイルＦ２は、各顧客（会員）に割り当てられた会員コードと、当該顧客に付与されたポイントに関する情報とを対応付けたポイント情報を格納する。ここで、ポイント情報には、会員コードの顧客に付与されたポイントの累積値（累積ポイント数）が含まれる。ポイントは、顧客が購入した商品の購入金額（合計金額）に応じて付与されるものであり、値引きや商品との交換等に利用することができる。つまり、本実施形態の店舗では、顧客に対しポイントサービスが提供されている。
【００２０】
商品登録ファイルＦ３は、読取装置２で読み取られた商品コードを格納する。本実施形態では、読取装置２で読み取られた商品コードを商品登録ファイルＦ３に格納する処理が、商品の登録処理に対応する。
【００２１】
条件設定ファイルＦ４は、特別ポイントの付与に係る付与条件（特別付与条件）と、特別付与条件を充足した場合に付与されるポイント数（特別ポイント数）とを対応付けて格納する。ここで、特別ポイントは、商品の購入金額（合計金額）に応じて付与されるポイント（通常ポイント）とは別に、特別付与条件を充足した場合に付与されるポイントである。本実施形態では、特別付与条件として、商品の購入金額に係る閾値（閾値金額）を設定する。また、本実施形態では、特別付与条件の充足は、商品の購入金額が特別付与条件の閾値金額に達したことを意味する。ここで、閾値金額は、基準金額の一例である。
【００２２】
なお、条件設定ファイルＦ４に設定可能な特別付与条件（閾値金額）の個数は特に問わないものとする。例えば、閾値金額が段階的に上昇するよう複数の特別付与条件を段階的に設定してもよい。この場合、特別付与条件の各々に対応付けられる特別ポイント数は、閾値金額が上がるほど、より大きなポイント数が付与されるよう設定することが好ましい。
【００２３】
通信部１８は、例えば無線ＬＡＮ（Local  Area  Network）アダプタ等のネットワークインタフェースによって実現される。通信部１８は、店舗内ネットワークに接続され、当該ネットワークに接続された外部装置（例えば、店舗サーバ）との間の通信を制御する。
【００２４】
近距離通信部１９は、例えばBluetooth（登録商標）  Low  Energy等の通信規格に対応した近距離無線通信用のネットワークインタフェースによって実現される。近距離通信部１９は、店舗内に設置された近距離無線通信装置（以下、ビーコン端末）との間の通信を制御する。
【００２５】
図３は、カート端末１の機能構成の一例を示す図である。図３に示すように、カート端末１は、機能部として、ログイン処理部１０１、商品登録部１０２、購入金額算出部１０３、仮ポイント算出部１０４、条件判定部１０５、参考商品抽出部１０６及び表示制御部１０７を備える。これらの機能部は、ＣＰＵ１４と不揮発性メモリ１７に記憶されたプログラムとの協働により実現されるソフトウェア構成であってもよいし、ＣＰＵ１４等に搭載された専用回路等により実現されるハードウェア構成であってもよい。
【００２６】
ログイン処理部１０１は、読取装置２で読み取られたコード情報が会員コードの場合に、その会員コードに対応する顧客（会員）を特定するための処理を実行する。例えば、ログイン処理部１０１は、ポイント管理ファイルＦ２から、読取装置２で読み取られた会員コードに対応するポイント情報を読み出すことで、カート端末１を操作する顧客を特定できたと判断する。ログイン処理部１０１は、顧客を特定できたことを条件に、商品の登録に係る操作、つまり商品コードの読み取りを有効化する。なお、顧客を特定するタイミングは上記例に限らず、会員コードが未入力の場合であっても商品コードの読み取りを可能とするような構成であってもよい。
【００２７】
商品登録部１０２は、登録手段の一例である。商品登録部１０２は、読取装置２で読み取られたコード情報が商品コードの場合に、その商品コードに対応する商品を購入候補として登録する。具体的には、商品登録部１０２は、読取装置２で読み取られた商品コードを商品登録ファイルＦ３に登録（格納）することで、顧客が購入候補とした商品の登録を行う。なお、読み取られたコードが商品コードか会員コードかの判別は、例えば、商品コードと会員コードとのコード体系の相違に基づき判別することができる。
【００２８】
購入金額算出部１０３は、商品登録部１０２で登録された商品の価格を合計した購入金額を算出する。具体的には、購入金額算出部１０３は、商品登録ファイルＦ３に登録された商品コードの各々に対応する価格をＰＬＵファイルＦ１から読み出し、読み出した価格を合計することで購入金額を算出する。なお、購入金額算出部１０３は、商品登録ファイルＦ３が更新される毎に購入金額の算出を行うものとする。
【００２９】
仮ポイント算出部１０４は、仮ポイント数を算出する算出手段の一例である。仮ポイント算出部１０４は、商品登録部１０２で登録された商品の購入金額に応じたポイント数を、仮ポイント数として算出する。具体的には、仮ポイント算出部１０４は、予め定められた通常ポイントの付与ルール（付与条件）に基づき、購入金額算出部１０３で算出された購入金額に応じたポイント数を仮ポイント数として算出する。ここで、仮ポイント数は、登録された商品が購入された際に付与されるポイント数を意味する。なお、通常ポイントの付与ルールは特に問わないものとする。例えば、仮ポイント算出部１０４は、予め定められた通常ポイントの付与率（例えば、５％等）を購入金額に乗算することで、当該購入金額に応じた仮ポイント数を算出してもよい。
【００３０】
条件判定部１０５は、商品登録部１０２で登録された商品の購入金額が、特別ポイントの付与条件を充足したか否かを判定する。具体的には、条件判定部１０５は、購入金額算出部１０３で算出された購入金額が、条件設定ファイルＦ４に格納された特別付与条件を充足するか否かを判定する。
【００３１】
条件判定部１０５は、商品の購入金額が特別付与条件の何れかを充足すると判定した場合、その特別付与条件に対応付けられた特別ポイント数を、仮特別ポイント数として読み出す。ここで、仮特別ポイント数は、登録された商品が購入された際に付与される特別ポイント数を意味する。また、条件判定部１０５は、商品の購入金額が特別付与条件の何れかを充足しないと判定した場合、その特別付与条件の閾値金額と商品の購入金額との差分（差額）を算出する。
【００３２】
なお、特別付与条件が段階的に設定されている場合には、条件判定部１０５は、商品の購入金額よりも高額な閾値金額のうち、当該購入金額に最も近い閾値金額との差額を算出するものとする。また、条件判定部１０５は、商品の購入金額が一部の特別付与条件を充足した場合であっても、充足しない特別付与条件が存在する場合には、充足しない特別付与条件の中から、購入金額に最も近い閾値金額との差額を算出するものとする。
【００３３】
参考商品抽出部１０６は、抽出手段の一例である。参考商品抽出部１０６は、条件判定部１０５で算出された商品の購入金額と閾値金額との差額に基づき、当該差額分の金額を充足することが可能な価格を有した商品を参考商品として抽出する。具体的には、参考商品抽出部１０６は、ＰＬＵファイルＦ１に登録された各商品の価格を参照し、商品の購入金額と閾値金額との差額、つまり不足分の金額を充足する商品の商品コードをＰＬＵファイルＦ１から抽出する。例えば、商品の購入金額と閾値金額との差額が３００円の場合、参考商品抽出部１０６は、価格（又は価格の合計値）が３００円を上回る商品の商品コードを、参考商品としてＰＬＵファイルＦ１から抽出する。
【００３４】
なお、参考商品抽出部１０６は、商品の購入金額と閾値金額との差額が所定値以下（例えば、１０００円以下）の場合に、参考商品を抽出する構成としてもよい。また、抽出する参考商品の個数は問わず、一であってもよいし複数であってもよい。また、参考商品抽出部１０６は、商品の価格の合計値が不足分の金額を充足するように、複数の参考商品を抽出する形態としてもよい。
【００３５】
また、参考商品の抽出方法は特に問わず、任意の方法を用いることが可能である。例えば、参考商品抽出部１０６は、新商品や特売商品、重点商品等の、予め定められた商品群の中から参考商品を抽出してもよい。
【００３６】
また、例えば、参考商品抽出部１０６は、店舗内でのカート端末１の存在位置（カート位置）に基づき、参考商品の抽出範囲を絞り込む構成としてもよい。具体的には、参考商品抽出部１０６は、ＰＬＵファイルＦ１に登録された各商品のエリア情報に基づき、ＰＬＵファイルＦ１に登録された商品の中から、カート位置の周辺で販売されている商品を絞り込む。そして、参考商品抽出部１０６は、絞り込んだ商品の中から参考商品を選定する。
【００３７】
なお、カート位置の特定方法は特に問わず、公知の技術を用いることが可能である。例えば、店舗内の各陳列棚に設置したビーコン端末から当該陳列棚の棚ＩＤを送信させるような構成の場合、参考商品抽出部１０６は、近距離通信部１９と協働することで位置特定手段として機能し、カート端末１周辺のビーコン端末から送信された棚ＩＤをカート位置として取得（特定）する。そして、参考商品抽出部１０６は、カート位置の棚ＩＤをエリア情報とする商品（商品コード）の中から、不足分の金額を充足可能な価格の商品を参考商品として抽出する。
【００３８】
表示制御部１０７は、表示手段の一例である。表示制御部１０７は、表示デバイス１２に表示する画面を制御する。例えば、表示制御部１０７は、会員コードの入力を支援するためのログイン画面や、商品の登録を支援するための商品登録画面を表示デバイス１２に表示させる。
【００３９】
また、表示制御部１０７は、ログイン処理部１０１により顧客の特定が行われると、当該顧客に付与されたポイントの累積値を、表示デバイス１２に表示させる。具体的には、表示制御部１０７は、ログイン処理部１０１がポイント管理ファイルＦ２から読み出したポイント情報に基づき、当該ポイント情報に含まれる累積ポイント数等を表示デバイス１２に表示させる。
【００４０】
また、表示制御部１０７は、ログイン処理部１０１により顧客の特定が行われると、当該顧客に付与されたポイントの累積値を、表示デバイス１２に表示させる。具体的には、表示制御部１０７は、ログイン処理部１０１が読み出したポイント情報に含まれる累積ポイント数を表示デバイス１２に表示させる。また、表示制御部１０７は、仮ポイント算出部１０４で算出された仮ポイント数を、表示デバイス１２に表示させる。
【００４１】
また、表示制御部１０７は、条件判定部１０５の判定結果を表示デバイス１２に表示させる。さらに、表示制御部１０７は、条件判定部１０５の判定結果に応じて、参考商品抽出部１０６が抽出した参考商品を表示デバイス１２に表示させる。
【００４２】
図４は、表示制御部１０７が表示する画面（商品登録画面）の一例を示す図である。図４に示すように、商品登録画面Ｇ１は、商品表示領域Ｇ１１と、合計表示領域Ｇ１２と、ポイント表示領域Ｇ１３と、操作領域Ｇ１４とを有する。
【００４３】
ここで、商品表示領域Ｇ１１には、登録された各商品の商品名、点数及び価格等、登録された商品の内訳が表示される。具体的には、表示制御部１０７は、ＰＬＵファイルＦ１及び商品登録ファイルＦ３に格納された情報に基づき、登録された各商品の商品名、点数、価格等を商品表示領域Ｇ１１に表示させる。また、商品表示領域Ｇ１１に表示された各商品には、当該商品の登録を取り消すための取消ボタンＢ１１が表示される。取消ボタンＢ１１が操作された場合、商品登録部１０２は、取り消し対象となった商品の商品コードを商品登録ファイルＦ３から削除することで、登録済の商品の取り消しを行う。
【００４４】
合計表示領域Ｇ１２には、登録された商品の点数や購入金額（合計金額）が表示される。具体的には、表示制御部１０７は、購入金額算出部１０３の算出結果等に基づき、商品登録ファイルＦ３に格納された商品の点数の合計値や、当該商品の購入金額等を合計表示領域Ｇ１２に表示させる。
【００４５】
ポイント表示領域Ｇ１３には、ポイントに関する情報が表示される。具体的には、表示制御部１０７は、ログイン処理部１０１が読み出したポイント情報に基づき、カート端末１を操作する顧客の会員コードと累積ポイント数とをポイント表示領域Ｇ１３に表示させる。したがって、カート端末１を操作する顧客は、ポイント表示領域Ｇ１３を参照することで、自己に付与された現在のポイント数（累計ポイント数）を容易に確認することができる。
【００４６】
操作領域Ｇ１４には、各種の操作ボタンが表示される。具体的には、表示制御部１０７は、会計ボタンＢ１２と、表示切替ボタンＢ１３とを操作領域Ｇ１４に表示させる。
【００４７】
会計ボタンＢ１２は、商品登録ファイルＦ３に登録された商品の会計を指示するための操作子である。会計ボタンＢ１２が操作されると、商品登録部１０２は、商品の登録に係る処理を終了することで、商品登録ファイルＦ３に登録された商品を一取引分の商品として確定する。会計ボタンＢ１２の操作後、顧客はカート端末１を会計装置に移動させることで、商品登録ファイルＦ３に登録された一取引分の商品の会計を行うことができる。
【００４８】
表示切替ボタンＢ１３は、ポイント表示領域Ｇ１３に表示する内容を切り替えるためのトグル操作子である。表示切替ボタンＢ１３が操作されると、表示制御部１０７は、ポイント表示領域Ｇ１３に表示する内容を切り替える。具体的には、表示制御部１０７は、図４に示したポイント表示領域Ｇ１３の状態で表示切替ボタンＢ１３が操作されると、ポイント表示領域Ｇ１３に表示した累積ポイント数を、図５に示すように、仮ポイント算出部１０４が算出した仮ポイント数に切り替える。
【００４９】
図５は、表示制御部１０７が表示する画面（商品登録画面Ｇ１）の一例を示す図である。図５は、図４に示した画面と同様であるが、ポイント表示領域Ｇ１３の表示内容が相違している。具体的には、表示制御部１０７は、表示切替ボタンＢ１３の操作に応じて、仮ポイント算出部１０４が算出した仮ポイント数をポイント表示領域Ｇ１３に表示させる。図５では、仮ポイント数として３００ポイントを表示した例を示している。これにより、カート端末１を操作する顧客は、ポイント表示領域Ｇ１３を参照することで、登録した商品を購入することで付与されるポイント数（仮ポイント数）を容易に確認することができる。
【００５０】
また、表示制御部１０７は、表示切替ボタンＢ１３が更に操作されると、条件判定部１０５の判定結果を表示デバイス１２に表示させる。具体的には、表示制御部１０７は、図５に示したポイント表示領域Ｇ１３の状態で表示切替ボタンＢ１３が操作されると、ポイント表示領域Ｇ１３に表示した仮ポイント数を、図６、図７に示すように、条件判定部１０５の判定結果をポイント表示領域Ｇ１３に表示させる。
【００５１】
図６及び図７は、表示制御部１０７が表示する画面（商品登録画面Ｇ１）の一例を示す図である。図６及び図７に示すように、表示制御部１０７は、表示切替ボタンＢ１３の操作に応じて、条件判定部１０５の判定結果をポイント表示領域Ｇ１３に表示させる。ここで、図６は、特別付与条件を充足した場合の表示例を示しており、仮特別ポイント数として「１００ポイント」を表示した例を示している。これにより、カート端末１を操作する顧客は、ポイント表示領域Ｇ１３を参照することで、登録した商品を購入することで、どのくらいの特別ポイント数（仮特別ポイント数）が付与されるのかを容易に確認することができる。
【００５２】
一方、図７は、特別付与条件を充足しなかった場合の表示例を示している。ここで、表示制御部１０７は、商品の購入金額と閾値金額との差額である不足分の金額（３００円）と、この不足分の金額を充足した場合に付与される特別ポイント数（１００ポイント）とをポイント表示領域Ｇ１３に表示させている。また、表示制御部１０７は、参考商品抽出部１０６の抽出結果に基づき、参考商品の購入を提案する参考商品画面Ｇ２を、商品表示領域Ｇ１１及び合計表示領域Ｇ１２上に重畳表示させている。
【００５３】
これにより、カート端末１を操作する顧客は、ポイント表示領域Ｇ１３を参照することで、あといくら分購入すると、どのくらいの特別ポイント数が付与されるのかを容易に確認することができる。また、カート端末１を操作する顧客は、参考商品画面Ｇ２に表示された参考商品を参照することで、特別ポイント数の付与に不足した金額分の商品を購入する際の参考とすることができる。特に、カート端末１周辺の参考商品が抽出される構成の場合、自己の周辺で販売されている商品の中から不足分の金額を満たす参考商品が参考商品画面Ｇ２に表示されるため、購入候補の選定に係る顧客の利便性を向上させることができる。また、店舗側にとっても、カート端末１を介して参考商品を顧客に提示することで、商品の促進を効率的に行うことができる。
【００５４】
次に、図８を参照して、カート端末１の動作について説明する。図８は、カート端末１が実行する商品登録処理の一例を示すフローチャートである。
【００５５】
まず、ログイン処理部１０１は、読取装置２から会員コードが入力されるまで待機する（ステップＳ１１；Ｎｏ）。読取装置２で読み取られた会員コードが入力されると（ステップＳ１１；Ｙｅｓ）、ログイン処理部１０１は、入力された会員コードに対応するポイント情報をポイント管理ファイルＦ２から読み出す（ステップＳ１２）。次いで、表示制御部１０７は、ログイン処理部１０１が読み出したポイント情報に含まれる累積ポイント数等をポイント表示領域Ｇ１３に表示させる（ステップＳ１３）。
【００５６】
続いて、商品登録部１０２は、読取装置２から商品コードが入力されたか否かを判定する（ステップＳ１４）。読取装置２から商品コードが入力されると（ステップＳ１４；Ｙｅｓ）、商品登録部１０２は、入力された商品コードを商品登録ファイルＦ３に格納することで、購入候補となる商品を登録する（ステップＳ１５）。次いで、購入金額算出部１０３は、登録された商品の購入金額を算出し（ステップＳ１６）、ステップＳ２５に移行する。なお、表示制御部１０７は、商品の登録が行われる毎に、当該商品の商品名や点数、購入金額等を商品表示領域Ｇ１１や合計表示領域Ｇ１２に表示させる。
【００５７】
また、ステップＳ１４で商品コードの入力が行われない場合（ステップＳ１４；Ｎｏ）、表示制御部１０７は、操作領域Ｇ１４に表示された表示切替ボタンＢ１３の操作により、仮ポイント数の表示が指示されたか否かを判定する（ステップＳ１７）。ここで、仮ポイント数の表示が指示されたと判定した場合（ステップＳ１７；Ｙｅｓ）、表示制御部１０７は、仮ポイント算出部１０４が購入金額に応じて算出した仮ポイント数をポイント表示領域Ｇ１３に表示させ（ステップＳ１８）、ステップＳ２５に移行する。
【００５８】
なお、仮ポイント算出部１０４が仮ポイント数を算出するタイミングは特に問わないものとする。例えば、仮ポイント算出部１０４は、購入金額算出部１０３が購入金額を算出したタイミングで仮ポイント数を算出してもよいし、仮ポイント数の表示が指示されたタイミングで仮ポイント数を算出してもよい。
【００５９】
また、ステップＳ１４で商品コードの入力が行われない場合（ステップＳ１４；Ｎｏ）、表示制御部１０７は、操作領域Ｇ１４に表示された表示切替ボタンＢ１３の操作により、仮特別ポイント数の表示が指示されたか否かを判定する（ステップＳ１７；Ｎｏ→ステップＳ１９）。ここで、仮特別ポイント数の表示が指示されたと判定した場合（ステップＳ１９；Ｙｅｓ）、表示制御部１０７は、条件判定部１０５の判定結果が特別付与条件の充足を示すものか否かを判定する（ステップＳ２０）。
【００６０】
なお、条件判定部１０５が特別付与条件を判定するタイミングは特に問わないものとする。例えば、条件判定部１０５は、購入金額算出部１０３が購入金額を算出したタイミングで条件判定を行ってもよいし、仮特別ポイント数の表示が指示されたタイミングで条件安定を行ってもよい。
【００６１】
条件判定部１０５の判定結果が特別付与条件の充足を示す場合（ステップＳ２０；Ｙｅｓ）、表示制御部１０７は、充足した特別付与条件に対応する仮特別ポイント数をポイント表示領域Ｇ１３に表示させ（ステップＳ２１）、ステップＳ２５に移行する。
【００６２】
一方、条件判定部１０５の判定結果が特別付与条件を充足しないことを示す場合（ステップＳ２０；Ｎｏ）、表示制御部１０７は、不足分の金額と、特別付与条件を充足した場合に付与される特別ポイント数とをポイント表示領域Ｇ１３に表示させる（ステップＳ２２）。次いで、表示制御部１０７は、参考商品抽出部１０６が抽出した参考商品を参考商品画面Ｇ２に表示させ（ステップＳ２３）、ステップＳ２５に移行する。
【００６３】
ここで、カート端末１を操作する顧客は、参考商品画面Ｇ２に表示された参考商品を購入候補とする場合、当該参考商品に付されたコードシンボルを読取装置２に読み取らせる。これにより、カート端末１では、ステップＳ１４〜Ｓ１６の処理を再度実行することで、参考商品を購入候補として登録することになる。
【００６４】
また、ステップＳ１４で商品コードの入力が行われない場合（ステップＳ１４；Ｎｏ）、表示制御部１０７は、操作領域Ｇ１４に表示された表示切替ボタンＢ１３の操作により、累積ポイント数の表示が指示されたか否かを判定する（ステップＳ１７；Ｎｏ→ステップＳ１９；Ｎｏ→ステップＳ２４）。ここで、累積ポイント数の表示が指示されたと判定した場合（ステップＳ２４；Ｙｅｓ）、表示制御部１０７は、ステップＳ１３に処理を戻すことで、ポイント表示領域Ｇ１３に累積ポイント数を表示させる。また、累積ポイント数の表示が指示されない場合には（ステップＳ２４；Ｎｏ）、ステップＳ２５に移行する。
【００６５】
続くステップＳ２５において、商品登録部１０２は、会計ボタンＢ１２の操作により会計が指示されたか否かを判定する（ステップＳ２５）。会計が指示されない場合（ステップＳ２５；Ｎｏ）、商品登録部１０２は、ステップＳ１４に処理を戻すことで、商品コードの入力を継続する。一方、会計ボタンＢ１２の操作により会計の指示を受け付けた場合（ステップＳ２５；Ｙｅｓ）、商品登録部１０２は、本処理を終了する。
【００６６】
以上のように、本実施形態のカート端末１によれば、顧客に付与された累計ポイント数や、顧客が購入候補とした商品の仮ポイント数を、商品の登録時に顧客に提示することができる。これにより、カート端末１を操作する顧客は、自己に付与された累計ポイント数や、商品の購入により付与される仮ポイント数を容易に確認できるため、ポイントサービスの利用に係る利便性を向上させることができる。
【００６７】
また、本実施形態のカート端末１によれば、購入候補の商品が特別ポイントの特別付与条件を充足する場合に、仮特別ポイント数を顧客に提示する。これにより、顧客は、購入候補の商品を購入することで付与される特別ポイント数を容易に確認することができるため、ポイントサービスの利用に係る利便性を向上させることができる。
【００６８】
また、本実施形態のカート端末１によれば、購入候補の商品が特別ポイントの特別付与条件を充足しない場合に、特別付与条件の充足に必要な不足分の金額を、不足分を充足した場合に付与される特別ポイント数とともに顧客に提示する。これにより、顧客は、特別付与条件の充足に必要な不足分の金額を把握できるとともに、特別付与条件を充足した場合に付与される特別ポイント数を容易に確認することができるため、ポイントサービスの利用に係る利便性を向上させることができる。
【００６９】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７０】
例えば、上記実施形態では、移動体のショッピングカート３に取り付けられるカート端末１及び読取装置２を登録装置としたが、店舗内を移動可能な形態であればこれに限らないものとする。例えば、登録装置は、買物籠に取り付けられる形態としてもよい。また、登録装置は、ハンディターミナルやタブレット端末等の携帯可能な装置であってもよい。
【００７１】
また、上記実施形態では、カート端末１が、ＰＬＵファイルＦ１、ポイント管理ファイルＦ２、商品登録ファイルＦ３及び条件設定ファイルＦ４を保持する形態としたが、これに限らないものとする。例えば、ＰＬＵファイルＦ１、ポイント管理ファイルＦ２、商品登録ファイルＦ３及び条件設定ファイルＦ４の何れか又は全てのファイルを、カート端末１がアクセス可能な外部装置（店舗サーバ等）に保持する形態としてもよい。この場合、カート端末１は、通信部１８等を介して外部装置が保持するファイルにアクセスすることで、商品の登録や累積ポイント数の読み出しを行う。
【００７２】
また、上記実施形態では、表示切替ボタンＢ１３の操作により、累積ポイント数、仮ポイント数及び仮特別ポイント数の表示を選択的に切り替える形態を説明したが、当該ポイントの表示方法はこれに限らないものとする。例えば、表示制御部１０７は、累積ポイント数、仮ポイント数及び仮特別ポイント数を同一画面（同時）に表示させてもよい。また、例えば、表示制御部１０７は、通常ポイント（仮ポイント）の付与率を付与条件として、仮ポイント数等とともに表示させてもよい。また、例えば、表示制御部１０７は、条件判定部１０５の判定結果に基づき、充足すると判定された特別付与条件や、充足しないと判定された特別付与条件を、仮特別ポイント数や参考商品等とともに表示させてもよい。
【００７３】
また、上記実施形態では、会員コードの読み取りが行われた後に、商品コードの読み取りを行う形態を説明したが、これに限らないものとする。例えば、商品コードの読み取り後や、会計ボタンＢ１２が操作された後に、会員コードの読み取りを行う形態としてもよい。この場合、表示制御部１０７は、会員コードの読み取りが行われたタイミングで、累積ポイント数の表示を行うものとする。
【００７４】
また、上記実施形態では、会員コードの読み取りを必須としたが、会員コードの読み取りを不要としてもよい。この場合、表示制御部１０７は、累積ポイント数の表示は行わずに、仮ポイント数及び仮特別ポイント数の表示を行うものとする。また、上記実施形態では、読取装置２を用いて会員コードを読み取る（入力する）形態としたが、これに限らないものとする。例えば、会員コードがＩＣカード等の媒体に記憶される場合、ＩＣカードリーダ等の装置を用いて会員コードを読み取る（入力する）形態としてもよい。また、商品コートの読み取りについても、コードシンボルに限定されるものではなく、例えば商品に付されたＲＦＩＤタグから商品コートを読み取る形態としてもよい。
【００７５】
また、上記実施形態のカート端末１で実行されるプログラムは、カート端末１が備える記憶媒体（不揮発性メモリ１７等）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７６】
また、上記実施形態のカート端末１で実行されるプログラムをインターネット等のネットワークに接続されたコンピュータ上に格納し、ネットワーク経由でダウンロードさせることにより提供するように構成してもよい。また、上記実施形態のカート端末１で実行されるプログラムを、インターネット等のネットワーク経由で提供又は配布するように構成してもよい。
【符号の説明】
【００７７】
１  カート端末
２  読取装置
３  ショッピングカート
１１  本体部
１２  表示デバイス
１３  タッチパネル
１４  ＣＰＵ
１５  ＲＯＭ
１６  ＲＡＭ
１７  不揮発性メモリ
１８  通信部
１９  近距離通信部
１０１  ログイン処理部
１０２  商品登録部
１０３  購入金額算出部
１０４  仮ポイント算出部
１０５  条件判定部
１０６  参考商品抽出部
１０７  表示制御部
Ｆ１  ＰＬＵファイル
Ｆ２  ポイント管理ファイル
Ｆ３  商品登録ファイル
Ｆ４  条件設定ファイル
【先行技術文献】
【特許文献】
【００７８】
【特許文献１】特開２００９−２６５７９０号公報
【図１】
2020067974.tif 000003
【図２】
2020067974.tif 000004
【図３】
2020067974.tif 000005
【図４】
2020067974.tif 000006
【図５】
2020067974.tif 000007
【図６】
2020067974.tif 000008
【図７】
2020067974.tif 000009
【図８】
2020067974.tif 000010